(57)【特許請求の範囲】
【請求項１】
空洞（２）及び前記空洞を閉鎖する蓋（１）を備え、前記蓋は底部（１２）と前記底部から隆起して電気エネルギー源を受容し得る筐体（１０）を形成する環状壁部（１４）とを含み、前記蓋及び前記携帯電子時計は前記携帯電子時計上に前記蓋を保持して前記空洞を封止するために提供された相補形の固定手段を有し、
前記蓋の前記環状壁部は前記蓋の前記筐体中に電気エネルギー源を保持する手段を含み、前記保持手段は半円形断面を有しかつ前記環状壁部と共に一体鋳造部品を形成するタブ（１１）を含む、
携帯電子時計中に電気エネルギー源を装着する装置であって、
前記電気エネルギー源保持手段は前記タブに対する補償を行うように構成された支持用突片（１７）を含み、
前記蓋は、前記空洞中に形成された対応するクリップ開口部（２０）と協同するように構成された少なくとも２つのクリップ手段（１４０）を備え、
前記タブ、前記支持用突片、及び前記クリップ手段は、前記蓋と共に一体鋳造部品を形成し、前記一体鋳造部品はプラスチック材料の射出により取得される、
ことを特徴とする、
装着装置。
【請求項２】
前記タブは変形可能なプラスチック材料で生産される、請求項１に記載の装着装置。
【請求項３】
前記タブは、前記蓋の前記筐体中への電気エネルギー源の導入を容易にするように面取部を各々備える、請求項１または請求項２に記載の装着装置。
【請求項４】
前記クリップ開口部はその入口近傍に形成された切欠きを備え、各切欠きは前記少なくとも２つのクリップ手段と協同するように構成される、請求項１から３のいずれかに記載の装着装置。
【請求項５】
電池等の電気エネルギー源により供給を受ける電子回路を備える電子機器であって、請求項１から請求項４のいずれかに記載の電気エネルギー源の装着装置を備えることを特徴とする、電子機器。
【発明の詳細な説明】
【技術分野】
【０００１】
本発明は、時計製作法の分野に関し、特に、携帯電子機器に使用される電源装着装置に関する。
【背景技術】
【０００２】
電池の受容筐体及びその筐体を閉鎖する蓋を備えた電子時計電池装着用の装置は、特許文献１により公知である。筐体はその外周近傍に、筐体中に電池を保持するための弾性保持手段を備える一方、蓋を筐体上に保持可能にするために蓋は筐体にクリップ手段を有している。
【０００３】
そのような装着装置は筐体中で回転する電池を固定し得ない電池用筐体しか有していない不都合さがあり、それにより電極の腐食を引起こす可能性がある。このような装着装置の別の不都合さは、筐体への導入のために最初に力を込めて電池を押し込んだ後に蓋を適所に配置する必要があることである。
【０００４】
特許文献２は電池用開口部を封止するように意図された蓋に関して記載している。蓋の固定はバヨネット方式により行われ、その雄部品は蓋の突片により形成される一方、雌部品は放射状筐体により形成される。
【０００５】
そのような装置は、その筐体中での電池の良好な保持をし得ない不都合さが同様に存在することから電池の回転リスク及びそれによる腐食リスクを伴うことになる。実際には、電池は装置の筐体中に単に挿入されるのだが、この筐体中に存在する電極との接触中の電池の回動及び摩耗を防止し得ない。更に、このような装置では、時計外筐の底部上への蓋の簡素かつ迅速な装着が可能ではない。
【０００６】
特許文献３及び特許文献４はエネルギー源の装着装置を同様に開示しているが、当該装置の筐体中でのエネルギー源の信頼性のある保持は可能ではない。
【先行技術文献】
【特許文献】
【０００７】
【特許文献１】欧州特許出願公開第１４３２０５２号明細書
【特許文献２】仏国特許出願公開第２５０８６６７号明細書
【特許文献３】特開昭５２−０８２４７０号明細書
【特許文献４】欧州特許出願公開第０７６２２４２号明細書
【発明の概要】
【発明が解決しようとする課題】
【０００８】
本発明の目的は特に、これらの公知の技法の種々の不都合さを改善することにある。
【０００９】
より正確にいえば、本発明の一目的は、その筐体中での電池の良好な保持を可能にする電池蓋を提供することにある。
【００１０】
本発明の目的は同様に、少なくとも一つの特定の実施形態において、簡素かつ安価に実施し得る電池の装着装置を提供することにある。
【課題を解決するための手段】
【００１１】
以下により明確になるであろうこれらの及び他の目的は、空洞及び該空洞を閉鎖する蓋を備え、蓋は底部とこの底部から隆起してエネルギー源を受容し得る筐体を形成する環状壁部とを含み、蓋及び携帯電子時計は、携帯電子時計上に蓋を保持して空洞を封止するために提供された相補形の固定手段を有し、蓋の環状壁部は蓋の筐体中にエネルギー源を保持する手段を含み、この保持手段は環状壁部と共に一体鋳造部品を形成する、電気エネルギー源を携帯電子時計中に装着する装着装置の援助を通じて本発明により達成される。
【００１２】
本発明によれば、エネルギー源の保持手段は、タブに対する補償を行うように構成された支持用突片を含む。
【００１３】
このように、本発明の主題は、上述したその種々の機能及び構造的上の態様により、蓋中に電池を半径方向にかつ回転可能に保持しながら据えつけが容易である電池蓋の取得を可能にする。
【００１４】
本発明の他の好都合な変形例によれば、
エネルギー源保持手段は、半円形断面を有するタブを含み；
タブは変形可能なプラスチック材料で生産され；
タブは、蓋中へのエネルギー源の導入を容易にするように面取部を各々含み；
蓋は、空洞中に形成された対応するクリップ開口部と協同するように構成された少なくとも２つのクリップを含み；
クリップ開口部はその入口近傍に形成された切欠きを含み、各切欠きは少なくとも２つのクリップと協同するように構成され；
タブ、支持用突片、及びクリップ手段は、蓋と共に一体鋳造部品を形成し、この一体鋳造部品はプラスチック材料の射出により取得される。
【００１５】
本発明はまた、本発明による電気エネルギー源の装着装置を備えた、電池等の電気エネルギー源により供給を受ける電子回路を備える電子機器に関する。
【００１６】
本発明の他の特徴及び利点は、単に説明的かつ非限定的な実施例として付与された本発明の特定の実施形態に関する以下の説明、及び添付の図面を読むことにより、より明確になるであろう。
【図面の簡単な説明】
【００１７】
【図１】本発明の装置による電池蓋の斜視図である。
【図２】本発明の装置による電池蓋の断面図である。
【図３】本発明による装置を備える時計外筐の斜視図である。
【発明を実施するための形態】
【００１８】
特定の実施形態による装着装置を、図１、図２、及び図３を共通に参照しながらここで説明することとする。
【００１９】
本装置は、例えば円筒形状の空洞２を備えると共に円形開口部を有し、この開口部によってボタン電池３等のエネルギー源を受容して保持可能な筐体１０を有する蓋１を導入し得る。好都合なことに、蓋１及び携帯電子機器は、携帯電子機器上に蓋１を保持して空洞２を封止するために提供された、クリップ等の相補形の固定手段を有する。
【００２０】
図１に見られるように、蓋１は筐体１０の外周に間隔を空けて配置されたタブ１１を備える。タブ１１の各々は、筐体１０の底部１２に接続されて底部１２から垂直に延在する。タブ１１の各々は、半円形部分断面の形状であり、面取部１１０を経て終端する。筐体１０中央にタブ１１によりこのように画成される開口部は、寸法が電池３の寸法より小さい。
【００２１】
好都合なことに、面取部１１０は、蓋１の筐体１０中への電池の容易な導入を可能にする。
【００２２】
図１に、蓋１が筐体１０の底部１２に対して突出した環状壁部１４を有することが見られる。蓋１の外周にはＯリング封止具４を受容するように構成された環状肩部１３を有し、それにより環状壁部１４の周囲にＯリング封止具４は取付けられる。
【００２３】
環状壁部１４は、長さの異なる区間、特に、硬質部分１４２に対してより短い長さの、クリップ１４０と称する、４つの部分を有する。クリップ１４０は、その外縁にクリップ切欠き１４１を有する。
【００２４】
蓋１はまた、その外周に位置合せ用の凹部１６を含み、この凹部１６は蓋１の周縁上で開放している。
【００２５】
図２は、図１に示した電池蓋の断面図を表し、電池３は蓋１の筐体１０内に配置されている。
【００２６】
電池３及び筐体１０のそれぞれの寸法は、筐体１０が電池３を受容可能に設定される。電池３は筐体１０の底部１２に形成された円形の限界ストッパ１２０を背にして支持され、電池３の縁部はタブ１１を背にして支持される。好都合なことに、底部１２に形成された円形の限界ストッパ１２０は、電池３の直径と同等の直径を有する。
【００２７】
好ましい実施形態によれば、電池に対する支持用突片１７は、筐体１０の内壁部上のタブ１１近傍に提供され得る。支持用突片１７はタブ１１に対する補足体として提供されるため、タブ１１が破損に至ったかまたは過度に変形した場合に、隣接する支持用突片１７が破損／過度に変形したタブ１１に対する補償を行うことになる。支持用突片１７は、電池の回転を防止するために電池に大きい摩擦を加え得る圧縮性材料で生産可能である。
【００２８】
筐体１０はその外周に凹部１１１を備える。この凹部１１１は、一方で筐体１０の環状壁部１４により、他方でタブ１１により境界を画される。タブ１１は、好ましくは可撓性材料で生産されるため、電池３を筐体１０中に位置付けたとき対応する凹部１１１に接近する方向に変形され得る。実際には、タブ１１は、図１及び図２に示すように、好ましくは弾性特質を有するプラスチック材料で生産される。この理由から、筐体１０、タブ１１、及び電池３のそれぞれの寸法を考えると、筐体１０中への電池の導入は、タブ１１の面取部１１０上に電池３を位置付けてその後筐体１０の底部１２の方向に圧力を加えることにより達成される。電池３の位置付け中、タブ１１は凹部１１１の方向に同時に変形され、これによりタブ１１の弾性変形が生じて蓋１の筐体１０中への力による電池３の導入が可能になる。
【００２９】
筐体１０の底部１２を背にして電池３が一旦位置付けられると、タブ１１は、その弾性によってそれらのそれぞれの当初の形状への回復に至る。これにより、電池３の保持が確実となり、一旦位置付けられると蓋１中での従来のような回転が防止される。
【００３０】
空洞２中に蓋１を固定する方式も更に提供される。クリップ１４０の各々は、その外面にクリップ１４０の縁部から他方に延在するクリップ切欠き１４１を備えている。空洞２の壁部はその内面に、各クリップ切欠き１４１に対応する開口部２０を有する。これらの対応する開口部２０は、その入口近傍に切欠き２１を有する。各切欠き２１は、クリップ１４０のクリップ切欠き１４１と協同するように意図されている。したがって、空洞２中に蓋１を配置するとき、クリップ切欠き１４１及び切欠き２１が全体的に対向して位置することによりクリップ作用により空洞２中に蓋１を保持するように協同する。
【００３１】
空洞２が、その開口部の縁部近傍に、位置決め基部２２を有することを図３中に同様に見ることができる。この位置決め基部２２は、蓋１4の凹部１６と協同して空洞２上に蓋を上手く位置付け得るように構成される。
【００３２】
電池極の電気接続手段は、それらが従来の方法で生産されるものであり、かつ本発明に対して何らの特定の貢献もしないことから説明も図示もしていないことにも注目し得る。当業者はそれらの手段を使用する上で格別な困難に遭遇することはないであろう。
【００３３】
以上の説明は好ましい実施形態に対応するものであるため、特に、装着装置またはその材料を含めて種々の構成要素に対して記述した形状に関する限り決して限定的に考えるべきではない。当業者であれば、例えば電池保持手段に対して本発明の実施に必要な機械的特質を有する他の何らかの材料を選択する上で、格別な困難に遭遇することはないであろう。
【００３４】
そのような電池装着用の装置に対して可能性のある用途は、本発明が電子時計ストラップ等の特に手または手首上の如何なるタイプの携帯電子機器に対しても使用可能であることから、極めて広範である。
【符号の説明】
【００３５】
１  蓋
１０  筐体
１１  タブ
１１０  面取部
１１１  凹部
１２  蓋の底部
１２０  限界ストッパ
１３  環状肩部
１４  筐体の環状壁部
１４０  クリップ
１４１  クリップ切欠き
１４２  硬質部
１６  凹部
１７  支持用突片
２  空洞
２０  開口部
２１  切欠き
２２  位置決め基部
３  電池
４  Ｏリング封止具
【図１】
0006420913.tif 000002
【図２】
0006420913.tif 000003
【図３】
0006420913.tif 000004